(57)【要約】      （修正有）【課題】ハウジング内の未使用空間の量を低減するとともに、スレッド上の電子部品のために使用可能な空間の量を増大させるサーバーを提供する。【解決手段】サーバー１００において、ハウジング１０１は、スレッドチャネル１０６及びケーブルチャネル１０８を画定する。スレッド１１０は、スレッドチャネルに挿入できる。ケーブル１１４は、スレッドに回転的に取り付けられたケーブルスリーブに配置される。障害物は、ケーブルチャネルと一直線になる。スレッドは、ハウジングに挿入される前、ケーブルスリーブは、障害物及びケーブルチャネルと一直線になる第１の位置にあり、挿入される際、障害物と接触することにより、第２の位置に移動する。第２の位置において、ケーブルスリーブは、障害物と一直線にならず、第１の位置に向けて付勢されており、障害物を越えて移動すると、第１の位置に戻る。【選択図】図２Ａ
2020170494.tif 000002
【特許請求の範囲】
【請求項１】
スレッドチャネル及びケーブルチャネルを有するハウジングと、
前記ハウジングの第１の端部において前記ハウジングの前記スレッドチャネルに挿入され、前記ハウジングの長手軸に沿って移動するように構成されたスレッドと、
前記スレッドに取り付けられるケーブルスリーブ内に配置されるケーブルと、
前記ハウジングの前記第１の端部に配置され、前記ハウジングの前記長手軸に沿って前記ケーブルチャネル及び前記ケーブルスリーブと一直線になる障害物であって、前記スレッドを前記ハウジングに挿入する間、前記ケーブルスリーブと前記障害物とが接触することにより、前記ケーブルスリーブが、前記スレッドに対する第１の位置から前記スレッドに対する第２の位置に移動し、前記第２の位置における前記ケーブルスリーブは、前記スレッドチャネル内に少なくとも部分的に配置される、障害物と、
を備える、サーバー。
【請求項２】
前記ケーブルスリーブが前記スレッドに対する前記第１の位置にある場合、前記ケーブルスリーブは、前記長手軸に沿って前記障害物及び前記ケーブルチャネルと一直線に配置され、前記障害物は、前記ケーブルスリーブと前記ケーブルチャネルとの間に配置され、前記ケーブルスリーブが前記スレッドに対する前記第２の位置にある場合、前記ケーブルスリーブは、前記長手軸に沿って前記障害物及び前記ケーブルチャネルと一直線に配置されない、請求項１に記載のサーバー。
【請求項３】
前記ケーブルスリーブは、前記スレッドに回転的に取り付けられ、前記ケーブルスリーブの回転軸は、前記ハウジングの前記長手軸に対して平行である、請求項１に記載のサーバー。
【請求項４】
前記ケーブルスリーブは、１つ以上のトーションばねを備え、該１つ以上のトーションばねは、前記ケーブルスリーブが前記第１の位置から前記第２の位置に移動するのに応じて捻れ、それによって前記ケーブルスリーブにトルクを加え、前記ケーブルスリーブを前記第１の位置に向けて付勢するのを援助するように構成される、請求項１に記載のサーバー。
【請求項５】
前記障害物と前記ケーブルスリーブとが接触することで、前記スレッドが引き続き前記ハウジングに挿入されている際に前記ケーブルスリーブが前記第２の位置に維持され、前記ケーブルスリーブは、前記ハウジングの前記長手軸に沿って前記障害物を越えて移動すると、前記第１の位置に戻るようになっている、請求項１に記載のサーバー。
【請求項６】
前記サーバーは、
前記ハウジング内に配置されるとともに電源ソケットに電気的に接続される内部電力ケーブル、
を更に備える、請求項１に記載のサーバー。
【請求項７】
前記障害物は、前記ハウジング内で前記長手軸に沿って延在する長さと、前記ハウジング内で横断軸に沿って延在する幅とを有し、前記障害物の第１の端部は、前記ハウジングの前記第１の端部に配置され、前記障害物の第２の端部は、前記長手軸に沿って前記ハウジングの前記第１の端部から離れた前記ハウジングの第２の端部に配置される、請求項１に記載のサーバー。
【請求項８】
前記障害物の前記幅は、前記障害物の少なくとも一部の前記長さに沿って、前記障害物の前記第１の端部における第１の幅から、前記障害物の前記第２の端部における第２の幅に徐々に移行し、前記第２の幅は、前記第１の幅よりも小さい、請求項７に記載のサーバ
ー。
【請求項９】
前記障害物の前記幅は、前記障害物の前記長さに沿った或る地点において、前記障害物の前記第１の端部における第１の幅から、前記障害物の前記第２の端部における第２の幅に急激に移行し、前記第２の幅は、前記第１の幅よりも小さい、請求項７に記載のサーバー。
【請求項１０】
前記ケーブルスリーブは、面取りされた端部ピースを備え、該端部ピースは、該端部ピースが先端部に向かって先細りになるように、前記ケーブルスリーブの幅に沿ってかつ前記ケーブルスリーブの高さに沿って面取りされており、該面取りされた端部ピースと前記障害物とが接触することにより、前記ケーブルスリーブが、前記スレッドから離れるようにかつ前記障害物から離れるように前記第２の位置に回転する、請求項１に記載のサーバー。
【発明の詳細な説明】
【技術分野】
【０００１】
本開示は、包括的には、サーバーシステムに関する。より詳細には、本開示の態様は、スレッドに取り付けられるケーブルスリーブを備えるサーバーシステムに関する。スレッドがサーバーに挿入される際、サーバー内の障害物を回避するために、ケーブルスリーブは、第１の位置と第２の位置との間で移動するように設計されている。
【背景技術】
【０００２】
サーバー等の電子デバイスは、部品スレッドを挿入することができるハウジングを備える。部品スレッドは、プリント回路基盤（ＰＣＢ）又は個々のケーブルを介して互いに接続することができる多様な電子部品を収容する。サーバーのハウジングは、スレッドが接続することができる１つ以上のバックプレーン、外部電源を接続することができる電源ソケット、及び電源ソケット（及びひいては外部電源）を１つ以上のバックプレーン及び／又は部品スレッドに接続することができる内部電力ケーブル等の他の部品も収容することができる。
【０００３】
図１は、ハウジング１２及びスレッド１４を備える従来技術のサーバー１０の斜視図である。スレッド１４は、ハウジング１２の第１の端部１３においてハウジング１２にスライド自在に挿入することができる。スレッド１４は、デュアルインラインメモリモジュール（ＤＩＭＭ）１６Ａ及び１６Ｂ等の電子部品を収容する。スレッド１４は、種々の電子部品をともに接続する信号ケーブル（図示せず）も備えることができる。信号ケーブルは、ＤＩＭＭ１６ＡとＤＩＭＭ１６Ｂとの間に画定されるケーブルチャネル１８に配置することができる。これにより、信号ケーブルによってＤＩＭＭ１６Ａ及び１６Ｂの反対側に配置されている部品を接続することが可能になる。
【０００４】
サーバー１０は、ハウジング１２の第１の端部１３に配置される電源ソケット２０も収容する。電源ソケット２０は、例えば外部電力ケーブル（図示せず）を介して、外部電源に接続することができる。ハウジング１２の内側では、内部電力ケーブル２２が電源ソケット２０に接続している。電力ケーブル２２は、概ねハウジング１２の長さに沿って、すなわち長手軸Ｌに沿って延在する。電力ケーブル２２は、スレッド１４に、又はサーバー１０が備えている場合のある任意のバックプレーン（図示せず）に接続することができる。
【０００５】
電源ソケット２０の幅（例えば、電源ソケット２０がハウジング１２の横断軸Ｔに沿って延在する範囲）は、多くの場合、電力ケーブル２２の幅よりも大きい。これにより、スレッド１４がハウジング１２に挿入されたとき、電力ケーブル２２とスレッド１４との間に空所２４が設けられる。信号ケーブルをケーブルチャネル１８ではなく空所２４に配置するためには、信号ケーブルをスレッド１４の隣に位置決めする必要がある。したがって、この信号ケーブルは、挿入前に空所２４と一直線になる(aligned with)。
【０００６】
しかしながら、電源ソケット２０も空所２４と一直線にされている。また、スレッド１４と電源ソケット２０とを合わせた幅は、ハウジング１２の幅に略等しい。したがって、信号ケーブルが挿入前にスレッド１４の隣に位置決めされることになる場合、電源ソケット２０は、信号ケーブルがハウジング１２に進入するのを妨げる障害物となる。したがって、信号ケーブルは、サーバー１０が完全に組み立てられている場合には、空所２４に配置することができない。その代わりに、信号ケーブルは、ケーブルチャネル１８に配置しなければならない。これにより、空所２４は使用されないままとなり、電子部品が使用可能なスレッド１４における空間の量が低減する。
【先行技術文献】
【特許文献】
【０００７】
【特許文献１】台湾特許第Ｉ６４４６０７号
【発明の概要】
【発明が解決しようとする課題】
【０００８】
したがって、ハウジング内の未使用空間の量を低減するとともに、スレッド上の電子部品のために使用可能な空間の量を増大させるサーバーが必要とされている。
【課題を解決するための手段】
【０００９】
本開示の種々の例は、これまで使用されていなかった空間を使用するサーバーに関するものである。本開示の第１の実施形態において、サーバーは、ハウジングと、スレッドと、ケーブルと、ハウジング内に配置される障害物（例えば、電源ソケット）とを備える。ハウジングは、スレッドチャネル及びケーブルチャネルを少なくとも部分的に形を画定する。スレッドは、ハウジングの第１の端部においてスレッドチャネルに挿入されるように構成される。スレッドは、ハウジングの長手軸に沿って移動する。ケーブルは、スレッドに取り付けられるケーブルスリーブに配置される。障害物は、ハウジングの第１の端部に配置される。障害物は、長手軸に沿ってケーブルチャネル及びケーブルと一直線になる。スレッドをハウジングに挿入する際、ケーブルスリーブは、スレッドに対する第１の位置からスレッドに対する第２の位置に移動する。第２の位置において、ケーブルスリーブは、スレッドチャネル内に少なくとも部分的に配置される。
【００１０】
上記概要は、本開示の各実施形態又は全ての態様を表すようには意図されていない。むしろ、上記概要は、本明細書に記載されている新規の態様及び特徴のうちのいくつかの例を単に提供するものである。本開示の上記の特徴及び利点、並びに他の特徴及び利点は、添付の図面及び添付の特許請求の範囲と併せて検討すれば、本発明を実施するための代表的な実施形態及び形態の以下の詳細な説明から容易に理解される。
【００１１】
本開示は、添付図面を参照しながら、例示的な実施形態の以下の記載からよりよく理解される。
【図面の簡単な説明】
【００１２】
【図１】スレッド内に配置されるケーブルチャネル及びスレッドと電力ケーブルとの間の空所を有する従来技術のサーバーを示す図である。
【図２Ａ】スレッドをサーバーのハウジングに挿入する前の、スレッドと電力ケーブルとの間に配置されるケーブルチャネルを有するサーバーの上面図である。
【図２Ｂ】スレッドをハウジングに挿入した後の、図２Ａのサーバーの上面図である。
【図３Ａ】図２Ａ及び図２Ｂのサーバーのスレッドに回転的に結合されたケーブルスリーブの斜視図である。
【図３Ｂ】ケーブルスリーブを第１の位置に付勢するのを援助するトーションばねの拡大斜視図である。
【図４Ａ】スレッドがハウジングに挿入される前の図２Ａ及び図２Ｂのサーバーの斜視図であり、ケーブルスリーブは、ケーブルチャネル及びスレッド内の障害物と一直線になる第１の位置にある。
【図４Ｂ】図４Ａに示されている位置における図２Ａ及び図２Ｂのサーバーの上面図である。
【図４Ｃ】図４Ａに示されている位置における図３Ａのケーブルスリーブの背面図である。
【図５Ａ】スレッドがハウジングに最初に挿入される際の図２Ａ及び図２Ｂのサーバーの斜視図であり、ケーブルスリーブは、障害物の隣かつケーブルチャネルの外部の第２の位置にある。
【図５Ｂ】図５Ａに示されている位置における図２Ａ及び図２Ｂのサーバーの上面図である。
【図５Ｃ】図５Ａに示されている位置における図３Ａのケーブルスリーブの背面図である。
【図６Ａ】スレッドがハウジングに引き続き挿入されている際の図２Ａ及び図２Ｂのサーバーの斜視図であり、ケーブルスリーブは、第１の位置に戻り始めている。
【図６Ｂ】図６Ａに示されている位置における図２Ａ及び図２Ｂのサーバーの上面図である。
【図６Ｃ】図６Ａに示されている位置における図３Ａのケーブルスリーブの背面図である。
【図７Ａ】スレッドがハウジングに完全に挿入されたときの図２Ａ及び図２Ｂのサーバーの斜視図であり、ケーブルスリーブは、第１の位置にあり、ケーブルチャネル内にある。
【図７Ｂ】図７Ａに示されている位置における図２Ａ及び図２Ｂのサーバーの上面図である。
【図７Ｃ】図７Ａに示されている位置における図３Ａのケーブルスリーブの背面図である。
【発明を実施するための形態】
【００１３】
本開示は、様々な変更形態及び代替形態が可能である。いくつかの代表的な実施形態が、例として図面に示されるとともに本明細書で詳細に記載される。しかしながら、本発明は、開示される特定の形態に限定されるようには意図されていないことが理解されるべきである。むしろ、本開示は、添付の特許請求の範囲によって規定される本発明の趣旨及び範囲内にある全ての変更形態、均等物及び代替形態を包含するものである。
【００１４】
本発明は、多くの異なる形態において実施することができる。代表的な実施形態が、図面に示されるとともに本明細書で詳細に記載される。本開示は、本開示の原理の例又は説明であり、本開示の広い態様を示されている実施形態に限定するようには意図されていない。この限りにおいて、例えば、要約書、発明の概要及び発明を実施するための形態に開示されているが、特許請求の範囲には明確に記載されていない要素及び限定表現は、暗示、推論等によって単独で又は集合的に特許請求の範囲に組み込まれるべきではない。この発明を実施するための形態では、特に否定されていない限り、単数形は複数形を含むとともに複数形は単数形を含み、「含む（including）」という語は、「限定はされないが、〜を含む（including without limitation）」を意味する。また、「約」、「ほとんど」、「実質的に」、「略」等の近似を表す語は、例えば、「において（at）」、「付近で（near）」若しくは「ほぼ〜において（nearly at）」、若しくは「の３％〜５％以内で」若しくは「許容可能な製造公差以内で」、又はそれらの任意の論理的組合せを意味するように本明細書において使用され得る。
【００１５】
本開示は、部品スレッドの挿入時に、ケーブルをサーバーのハウジングにおける障害物の経路から移動させ、その後ハウジング内に存在する空所に戻す機構を備えるサーバーに関する。
【００１６】
図２Ａ及び図２Ｂは、例示的なサーバー１００の平面図である。図２Ａは、１つ以上のスレッド１１０の挿入前のサーバー１００を示している。図２Ｂは、１つ以上のスレッド１１０の挿入後のサーバー１００を示している。図２Ａ及び図２Ｂには、ただ１つのスレッド１１０が示されているが、サーバー１００は、任意の適した数のスレッド１１０を備
えることができる。サーバー１００は、スレッドチャネル１０６及びケーブルチャネル１０８を少なくとも部分的に画定するハウジング１０１を備える。スレッド１１０は、ハウジング１０１の第１の端部１０２Ａにおいてスレッドチャネル１０６にスライド自在に挿入することができる。この場合、スレッド１１０は、長手軸Ｌに沿ったハウジング１０１の長さに沿って、ハウジング１０１の第２の端部１０２Ｂに向かって移動することができる。また、ハウジング１０１は、ハウジング１０１の第１の端部１０２Ａに配置される電源ソケット１１２と、内部電力ケーブル１１４とを備える。
【００１７】
電源ソケット１１２及び電力ケーブル１１４は、ハウジング１０１内でスレッド１１０の隣に配置される。電源ソケット１１２及び電力ケーブル１１４の両方は、ハウジング１０１の横断軸Ｔに沿った寸法と定義される幅を有する。電力ケーブル１１４の幅は、電源ソケット１１２の幅よりも小さいので、スレッド１１０の縁部と電力ケーブル１１４との間にケーブルチャネル１０８が画定される。通常、電源ソケット１１２は、長手軸Ｌに沿って電力ケーブル１１４及び／又はケーブルチャネル１０８と一直線になる。したがって、電源ソケット１１２と、電力ケーブル１１４と、ケーブルチャネル１０８とは、概ね横断軸Ｔに沿って同じ位置を占める。
【００１８】
スレッド１１０は、１つ以上のＤＩＭＭ１１６を含む、多様な電子部品を収容する。スレッド１１０は、種々の電子部品を互いに接続することができる信号ケーブル１１８も備える。スレッド１１０が（図２Ｂに示されているように）ハウジング１０１に完全に挿入されると、信号ケーブル１１８は、スレッド１１０の縁部と電力ケーブル１１４との間に画定されるケーブルチャネル１０８に配置される。この構成において、従来のサーバー設計（図１のサーバー１０等）においてしばしば存在する空所が、ここで信号ケーブル１１８のケーブルチャネル１０８として使用される。結果として、スレッド１１０の全幅に及ぶ１つ以上のＤＩＭＭ１１６等の電子部品が、スレッド１１０におけるより多くの空間を使用することができる。
【００１９】
スレッド１１０と電源ソケット１１２とを合わせた幅（例えば、横断軸Ｔに沿ったスレッド１１０及び電源ソケット１１２の寸法）は、ハウジング１０１自体の幅と略等しい。したがって、電源ソケット１１２は、信号ケーブル１１８がスレッド１１０に隣接して位置決めされている場合、信号ケーブル１１８がハウジング１０１に挿入されるのを妨げる障害物を形成する。スレッド１１０及び信号ケーブル１１８をハウジング１０１に挿入するためには、スレッド１１０をハウジング１０１に挿入する間、信号ケーブル１１８を電源ソケット１１２及びケーブルチャネル１０８と位置がずれるように移動させなければならない。スレッド１１０が挿入され、信号ケーブル１１８が電源ソケット１１２（及び障害物の一部を形成する任意の他の部品）を越えて移動したら、信号ケーブル１１８を、図２Ｂに示されているように元の位置に戻すことができる。スレッド１１０が挿入されたこの位置において、信号ケーブル１１８は、ケーブルチャネル１０８に配置される。
【００２０】
図３Ａ及び図３Ｂは、スレッド１１０がハウジング１０１に挿入される際に、信号ケーブル１１８を自動的に移動させる機構を示している。この実施態様において、信号ケーブル１１８は、ケーブルスリーブ１２２内に収容される。ケーブルスリーブ１２２は、第１の位置と第２の位置との間で移動するようにスレッド１１０に回転的に取り付けられており、ケーブルスリーブ１２２が第１の位置と第２の位置との間で移動することで、信号ケーブル１１８が同様に複数の位置間で移動する。
【００２１】
第１の位置において、ケーブルスリーブ１２２及び信号ケーブル１１８は、スレッド１１０の隣に配置される。ここで、ケーブルスリーブ１２２及び信号ケーブル１１８は、電源ソケット１１２及びケーブルチャネル１０８と略一直線にされており、したがって、ハウジング１０１への挿入が妨げられている。第２の位置において、ケーブルスリーブ１２
２は、電源ソケット１１２及びケーブルチャネル１０８と一直線にされていない。この位置では、電源ソケット１１２が信号ケーブル１１８を妨害しないので、スレッド１１０及び信号ケーブル１１８をハウジング１０１に自由に挿入することができる。
【００２２】
この実施態様において、ケーブルスリーブ１２２は、ヒンジに類似する方式でスレッド１１０に結合される。ケーブルスリーブ１２２は、複数の交互に配置されるフィンガー１３４Ａ及び１３４Ｂから形成されている。ケーブルスリーブ１２２の各フィンガー１３４Ａは、中空ナックル１３２Ａを含む。スレッド１１０は、１つ以上の対応する中空ナックル１３２Ｂを含む。ナックル１３２Ａとナックル１３２Ｂとは、ナックル１３２Ａ及びナックル１３２Ｂの中空内部が一直線にされてピン１３３の挿入路を形成するように、略一直線になる。
【００２３】
ピン１３３がナックル１３２Ａ及び１３２Ｂのそれぞれに挿通されたら、ケーブルスリーブ１２２は、スレッド１１０に物理的に結合され、スレッド１１０に対して回転することができる。いくつかの実施態様（図３Ａ及び図３Ｂに示されている実施態様等）において、ナックル１３２Ａ及び１３２Ｂは、交互の構成にして配置されている。他の実施態様において、ナックル１３２Ａ及び１３２Ｂは、ナックル１３２Ａ及び１３２Ｂの中空内部が一直線にされてピン１３３の挿入路を形成する限り、全体として任意の構成にして配置することができる。いくつかの実施態様において、ケーブルスリーブ１２２は、単一のナックル１３２Ａを有し、スレッド１１０も、単一のナックル１３２Ｂを有する。
【００２４】
図３Ａ及び図３Ｂに示されている実施態様において、フィンガー１３４Ａ及び１３４Ｂは、ケーブルスリーブ１２２の内部の、例えばケーブルスリーブ１２２に挿入された場合に信号ケーブル１１８が静止する場所における複数の部分を、ケーブルスリーブ１２２の外部に対して開口させる。これにより、ユーザーが、信号ケーブル１１８をケーブルスリーブ１２２に容易に挿入及び挿通することができるようになる。他の実施態様において、フィンガー１３４Ａ及び１３４Ｂは、ケーブルスリーブ１２２の内部を完全に閉鎖する。更に他の実施態様において、ケーブルスリーブ１２２の外縁部は、バレル又はチューブのような連続的な表面であり、ケーブルスリーブ１２２の内部は、ケーブルスリーブ１２２の端部においてのみ外部に開口するようになっている。
【００２５】
ケーブルスリーブ１２２は、ケーブルスリーブ１２２を第１の位置に向けて付勢する１つ以上のトーションばね１３６を備える。トーションばね１３６のそれぞれは、ケーブルスリーブ１２２のナックル１３２Ａのうちの１つの周りに巻かれた本体１３７を有する。トーションばね１３６は、脚１３８Ａ及び１３８Ｂにおいて終端する。トーションばね１３６の脚１３８Ａは、例えば、スレッド１１０に画定された小さなスロット１３９に挿入することによって、又は、何らかの他の適した取付け機構によって、スレッド１１０に対して固定して保持される。トーションばね１３６の脚１３８Ｂは、ケーブルスリーブ１２２の一部に接触する。図３Ａ及び図３Ｂに示されている実施態様において、脚１３８Ｂは、交互に配置されるフィンガー１３４Ａのそれぞれ１つに接触する。
【００２６】
したがって、ケーブルスリーブ１２２が第１の位置から第２の位置に向けて回転されると、ケーブルスリーブ１２２のフィンガー１３４Ａが、トーションばね１３６の脚１３８Ｂに押し当たる。トーションばね１３６の脚１３８Ａは所定位置に保持されるので、この圧力によって、トーションばね１３６が回転的に圧縮される、例えば捻れる又は巻かれる。トーションばね１３６が圧縮されることで、トーションばね１３６は、ケーブルスリーブ１２２を第１の位置に向けて付勢するトルクをケーブルスリーブ１２２に加える。いくつかの実施態様において、トーションばね１３６は、他の部品又は機構とともに、ケーブルスリーブ１２２を第１の位置に向けて付勢するのを援助する。
【００２７】
図３Ａ及び図３Ｂに示されているように、ハウジング１０１に最も近いケーブルスリーブ１２２の端部は、端部ピース１４０を備える。端部ピース１４０は、ケーブルスリーブ１２２の幅（横断軸Ｔに対して平行）及びケーブルスリーブ１２２の高さ（横断軸Ｔ及び長手軸Ｌの両方に対して垂直の軸に対して平行）の両方に沿って面取りされている。その結果、図３Ａ及び図３Ｂに示されている向きにおいて、端部ピース１４０は、水平方向及び垂直方向の両方において面取りされている。しかしながら、端部ピース１４０の二重の面取りの方向は、ハウジング１０１及びスレッド１１０の向きに応じて任意の方向とすることができる。
【００２８】
したがって、端部ピース１４０は、先端部１４２に向かって先細りになっており、先端部１４２は、図３Ａ及び図３Ｂに示されている向きでは、ケーブルスリーブ１２２の最も下側かつ最も内側のコーナーである。ケーブルスリーブ１２２が電源ソケット１１２に到達すると、先端部１４２は、電源ソケット１１２の対応するコーナー１４４に略接触する。図３Ａ及び図３Ｂに示されている向きにおいて、コーナー１４４は、ケーブルソケット１１２の最も下側かつ最も内側のコーナーである。端部ピース１４０が二重に面取りされているので、この接触により、ケーブルスリーブ１２２が、電源ソケット１１２及びスレッド１１０の両方から離れるように、第１の位置から第２の位置に回転する。図３Ａ及び図３Ｂに示されている向きにおいて、ケーブルスリーブ１２２は、ハウジング１０１に対して上方かつ内方に（例えば、スレッド１１０に対して上方かつ電源ソケット１１２に対して内方に）回転する。しかしながら、ケーブルスリーブ１２２の回転の特定の方向は、ハウジング１０１及びスレッド１１０の向きに応じて変わり得る。
【００２９】
端部ピース１４０が面取りされていなければ、ケーブルスリーブ１２２は、ケーブルスリーブ１２２の高さ及びケーブルスリーブ１２２の幅（横断軸Ｔ）に沿って延在する二次元的接触面を呈することになる。この二次元的接触面は、スレッド１１０及びケーブルスリーブ１２２がハウジング１０１の更に奥に挿入されるのを妨げることになる。しかしながら、端部ピース１４０が二次元的に面取りされていることにより、ケーブルスリーブ１２２と電源ソケット１１２とは、まず先端部１４２において接触する。スレッド１１０がハウジング１０１に引き続き挿入される際、ケーブルスリーブ１２２と電源ソケット１１２との接触場所は、ケーブルスリーブ１２２の長さに沿って後方に移動し、それによってケーブルスリーブ１２２がハウジング１０１に対して上方かつ内方に回転する。
【００３０】
他の実施態様において、サーバー１００は、別個のアクチュエーター、又はケーブルスリーブ１２２を物理的に押して回転させるように構成された他の機構を備える。例えば、サーバー１００は、ケーブルスリーブ１２２に結合される収縮可能なフィンガーであって、収縮することによってケーブルスリーブ１２２を第１の位置から第２の位置に移動させるフィンガーを備えることができる。いくつかの実施態様において、ケーブルスリーブ１２２に加わる付勢力は、トーションばね１３６ではない部品を用いて生成される。例えば、第２の位置にある場合、ケーブルスリーブ１２２は、ハウジング１０１内の障害物と別の部品との間で圧縮することができる。ケーブルスリーブ１２２が障害物を越えて移動すると、他の部品によりケーブルスリーブ１２２に加わる圧力によって、ケーブルスリーブ１２２が第１の位置に戻る。付勢力は、重力又は他の機構を用いることで生成することもできる。
【００３１】
これらの実施態様のいずれにおいても、電源ソケット１１２とケーブルスリーブ１２２とが接触することにより、スレッド１１０及びケーブルスリーブ１２２が引き続きハウジング１０１に挿入される際に、ケーブルスリーブ１２２が第２の位置に維持される。ケーブルスリーブ１２２が電源ソケット１１２（及び障害物を形成する任意の他の部品）を越えて移動すると、ケーブルスリーブ１２２の付勢力によって、ケーブルスリーブ１２２が第１の位置に戻る。ケーブルスリーブ１２２は、電源ソケット１１２を越えて移動したの
で、ケーブルスリーブ１２２は、このとき、図２Ｂに示されているようにケーブルチャネル１０８内に配置される。
【００３２】
図４Ａ〜図７Ｃは、スレッド１１０がサーバー１００のハウジング１０１に挿入される前、挿入されている間及び挿入された後の、図２Ａ及び図２Ｂのサーバー１００の斜視図、上面図及び背面図を示している。図４Ｃ、図５Ｃ、図６Ｃ及び図７Ｃにおける背面図は、ケーブルスリーブ１２２の後縁部１２３において見たものである。図４Ａ〜図７Ｃにおける図は、スレッド１１０及び障害物に対するケーブルスリーブ１２２及び信号ケーブル１１８の位置を示している。概して、信号ケーブル１１８の移動に対する言及は、別途特記されていない限り、ケーブルスリーブ１２２の移動にも当てはまる。同様に、ケーブルスリーブ１２２の移動に対する言及は、別途特記されていない限り、信号ケーブル１１８の移動にも当てはまる。
【００３３】
サーバー１００のハウジング１０１は、通常、ハウジング１０１の基部からそれぞれ上方に延在する第１の側壁１０５Ａ及び第２の側壁１０５Ｂを備える。側壁１０５Ａ及び１０５Ｂは、ハウジング１０１の第１の端部すなわち前端部１０２Ａから、ハウジング１０１の第２の端部すなわち後端部１０２Ｂまで延在する。スレッドチャネル１０６及びケーブルチャネル１０８は、ハウジング１０１内に画定される。ハウジング１０１及びスレッド１１０の両方は、横断軸Ｔに沿って延在する幅と、長手軸Ｌに沿って延在する長さとを有する。
【００３４】
電源ソケット１１２は、ハウジング１０１の第１の端部１０２Ａに配置される。サーバー１００は、内部電力ケーブル１１４を保護する、ハウジング１０１の長さに沿って延在する電力ケーブルガード１２０も備える。電源ソケット１１２とスレッド１１０とを合わせた幅は、ハウジング１０１の幅に実質的に等しい。したがって、図４Ａ〜図７Ｃに示されている実施態様において、障害物は、少なくとも電源ソケット１１２と電力ケーブルガード１２０とから形成される。他の実施態様において、内部電力ケーブル１１４は、内部電力ケーブル１１４を保護する電力ケーブルガード１２０を備えず、したがって、障害物は、電源ソケット１１２と内部電力ケーブル１１４とから形成される。更に他の実施態様において、障害物は、追加のスレッド１１０をマウントするためのラック等のサーバー１００の他の部品から形成され得る。
【００３５】
ケーブルスリーブ１２２は、長手方向におけるスレッド１１０の長さに沿って、スレッド１１０に回転的に取り付けられる。ピン１３３は、スレッド１１０及びケーブルスリーブ１２２の両方における一直線にされた中空部に挿通される。トーションばね１３６を用いて、ケーブルスリーブ１２２を第１の位置に向けて付勢する。ケーブルスリーブ１２２内には、スレッド１１０上で種々の電子部品を互いに接続するために使用することができる信号ケーブル１１８が収容されている。見て取ることができるように、電源ソケット１１２及び電力ケーブルガード１２０は、長手軸Ｌに沿ってケーブルチャネル１０８と一直線になる。
【００３６】
サーバー１００の他の実施態様も使用することができる。例えば、ハウジング１０１は、第１の側壁１０５Ａ及び第２の側壁１０５Ｂに結合されるトップパネルを備えることができる。さらに、サーバー１００は、サーバー１００が、互いに対して垂直の向きに配置される複数のスレッド１１０を備えるように、別のスレッド１１０を配置することができるラックを備えることができる。更に他の実施態様において、電力ケーブルガード１２０は、別のスレッド１１０を配置することができるラックの全部又は一部を形成する。
【００３７】
図４Ａ〜図４Ｃは、スレッド１１０の挿入前のサーバー１００を示している。スレッド１１０、信号ケーブル１１８及びケーブルスリーブ１２２は全て、ハウジング１０１の外
部に配置されている。ケーブルスリーブ１２２は、スレッド１１０に対する第１の位置にある。ケーブルスリーブ１２２が第１の位置にある場合、ケーブルスリーブ１２２（及びケーブルスリーブ１２２内に取り付けられる信号ケーブル１１８）は、電源ソケット１１２、電力ケーブルガード１２０及びケーブルチャネル１０８と一直線になる。これらの部品は、全体として長手軸Ｌに沿って一列に並び、横断軸Ｔ上で同じ位置を占める。したがって、電源ソケット１１２及び電力ケーブルガード１２０は、ケーブルスリーブ１２２が第１の位置にある場合に、ケーブルスリーブ１２２（及びケーブルスリーブ１２２に収容されている信号ケーブル１１８）がハウジング１０１に挿入されるのを妨げる。
【００３８】
図５Ａ〜図５Ｃは、スレッド１１０がハウジング１０１のスレッドチャネル１０６に最初に挿入される際のサーバー１００を示している。ケーブルスリーブ１２２がハウジング１０１に進入する際、ケーブルスリーブ１２２が電源ソケット１１２と接触する。ケーブルスリーブ１２２の電源ソケット１１２に接触する部分が面取りされているので、この接触により、ケーブルスリーブ１２２及び信号ケーブル１１８が、上方かつ内方へ、電源ソケット１１２及び電力ケーブルガード１２０から離れるようにスレッド１１０に対する第２の位置に回転する。ケーブルスリーブ１２２の回転軸は、ハウジング１０１の長手軸に対して略平行である。
【００３９】
ケーブルスリーブ１２２及びケーブルスリーブ１２２内に取り付けられている信号ケーブル１１８が第２の位置に回転されると、ケーブルスリーブ１２２及び信号ケーブル１１８は、長手軸Ｌに沿って電源ソケット１１２、電力ケーブルガード１２０又はケーブルチャネル１０８ともはや一直線にされない。その代わりに、ケーブルスリーブ１２２及び信号ケーブル１１８は、スレッド１１０の上方にかつ実質的にスレッドチャネル１０６内に配置されるように回転される。したがって、ケーブルスリーブ１２２は、電源ソケット１１２、電力ケーブルガード１２０及びケーブルチャネル１０８と一直線にされない。この第２の位置では、ケーブルスリーブ１２２をハウジング１０１内に更に前進しないように妨げる物が無いので、スレッド１１０及びケーブルスリーブ１２２は、ハウジング１０１に引き続き挿入することができる。
【００４０】
図５Ｃに見て取ることができるように、ケーブルスリーブ１２２が第１の位置から第２の位置に回転することにより、トーションばね１３６が捻じれるようにして回転圧縮される。これにより、トーションばね１３６がケーブルスリーブ１２２にトルクを加え、それによってケーブルスリーブ１２２を第１の位置に向けて付勢する。しかしながら、ケーブルスリーブ１２２と電力ケーブルガード１２０とが接触することにより、ケーブルスリーブ１２２は第２の位置に維持される。
【００４１】
図６Ａ〜図６Ｃに示されているように、ケーブルスリーブ１２２は、電源ソケット１１２及び電力ケーブルガード１２０を越えて引き続き移動し、ついには、ケーブルスリーブ１２２の後縁部１２３が、電力ケーブルガード１２０の長さに沿った地点１２１を通過する。地点１２１において、電力ケーブルガード１２０の幅が減少し始める。図示の実施態様において、電力ケーブルガード１２０の幅は、最大幅から最小幅に徐々に減少する。この徐々の減少は、電力ケーブルガード１２０の少なくとも一部分の長さに沿って起こる。障害物の幅は、ハウジング１０１の第１の端部１０２Ａにおいて、例えば、電源ソケット１１２が配置される場所で最大となる。障害物の幅は、ハウジング１０１の第１の端部１０２Ａとハウジング１０１の第２の端部１０２Ｂとの間の任意の位置で最小となり得る。図示の実施態様において、電力ケーブルガード１２０の幅の徐々の減少は、略直線をなす。他の実施態様において、徐々の減少は、曲線的減少、段階的減少（例えば、階段状）又は任意の他の適した形状をなす。
【００４２】
いくつかの実施態様において、電力ケーブルガード１２０の最小幅は、ゼロではない。
これらの実施態様において、最小幅は、電力ケーブルが電力ケーブルガード１２０とハウジング１０１の第１の側壁１０５Ａとの間に配置されるように、電力ケーブル（図４Ａ〜図７Ｃには示されていない）の幅よりも僅かに大きくすることができる。これらの実施態様において、電力ケーブルガード１２０は、ハウジング１０１の第２の端部１０２Ｂまでずっと延在してもよいし、ハウジング１０１の第２の端部１０２Ｂに到達する前に終端してもよい。
【００４３】
他の実施態様において、電力ケーブルガード１２０の幅は、（ｉ）ハウジング１０１の第２の端部１０２Ｂにおいて、又は、（ｉｉ）ハウジング１０１の第１の端部１０２Ａとハウジング１０１の第２の端部１０２Ｂとの間の地点において、ゼロに減少する。更に他の実施態様において、電力ケーブルガード１２０の幅は、最大幅から最小幅へ、徐々にではなく急激に又は直ちに移行する。
【００４４】
ケーブルスリーブ１２２の後縁部１２３が、電力ケーブルガード１２０の幅が最大である地点１２１を通過すると、トーションばね１３６の圧縮によりケーブルスリーブ１２２に加わる付勢力によって、ケーブルスリーブ１２２が第１の位置に（例えば、ハウジング１０１の第１の側壁１０５Ａに向かって）自動的に戻り始める。電力ケーブルガード１２０の幅が徐々に減少することで、ケーブルスリーブ１２２が、電力ケーブルガード１２０の幅が最大である地点１２１を越えて移動した後に、第１の位置に直ちに跳ね戻ることが防止される。その代わりに、ケーブルスリーブ１２２は、スレッド１１０がハウジング１０１に挿入される際、徐々に回転して第２の位置から第１の位置に戻ることができる。このことは、ケーブルスリーブ１２２が直ちに回転して第１の位置に戻るようになっている場合に起こり得るような電子部品の損傷の防止に役立ち得る。
【００４５】
また、電力ケーブルガード１２０の幅は、最小幅まで直ちに減少しないので、ケーブルスリーブ１２２は、第１の位置と第２の位置との間に保持される。図６Ｂに具体的に見て取ることができるように、ケーブルスリーブ１２２は、部分的にスレッドチャネル１０６内にかつ部分的にケーブルチャネル１０８内に配置される。図示の実施態様に示されているように、ケーブルスリーブ１２２は、時計回りに回転して第１の位置に向かって戻る。しかしながら、ケーブルスリーブ１２２及び障害物がハウジング１０１の第２の側壁１０５Ｂの隣に配置される実施態様では、ケーブルスリーブ１２２は、反時計回りに回転して第１の位置に向かって戻る。
【００４６】
図７Ａ〜図７Ｃは、スレッド１１０がハウジング１０１に完全に挿入されたサーバー１００を示している。図示のように、ケーブルスリーブ１２２は、トーションばね１３６により加えられる付勢力によって、第１の位置に完全に戻されている。この位置において、ケーブルスリーブ１２２は、電源ソケット１１２、電力ケーブルガード１２０及びケーブルチャネル１０８と再び一直線になる。しかしながら、ケーブルスリーブ１２２は、第２の位置にある場合、電源ソケット１１２及び電力ケーブルガード１２０を越えて移動するので、ケーブルスリーブ１２２は、この時点で実質的にケーブルチャネル１０８内に配置されており、全体としてスレッドチャネル１０６内に配置される部分を有しない。
【００４７】
本開示は、概して電源ソケット１１２及び電力ケーブルガード１２０によって形成されるものとして障害物に言及しているが、一般に部品の任意の組合せが障害物を形成し得る。いくつかの実施態様において、サーバー１００は、電源ソケット１１２を単に備えることができる。他の実施態様において、サーバー１００は、ケーブルチャネル１０８と一直線にされない電源ソケット１１２を備えることができ、したがって、障害物は、専ら電力ケーブルガード１２０から形成される。更に他の実施態様において、サーバー１００は、障害物を形成する他の部品を収容する。
【００４８】
サーバー１００の他の実施態様も想定される。例えば、いくつかの実施態様において、ケーブルスリーブ１２２と障害物とが接触することによって、ケーブルスリーブ１２２は第２の位置に移動しない。むしろ、ケーブルスリーブ１２２は、何らかの他の機構又は方法を用いて第２の位置に移動させることができる。例えば、サーバー１００は、ケーブルスリーブ１２２が障害物に到達した場合を検知し、その後ケーブルスリーブ１２２を第２の位置に自動的に移動させるように構成することができる。サーバー１００は、ケーブルスリーブ１２２が障害物の幅が最大である地点１２１を越えて移動した場合を検知するように構成することもできる。この検知に応答して、サーバー１００は、ケーブルスリーブ１２２を第１の位置に戻すことができる。他の実施態様において、サーバー１００は、ユーザーがケーブルスリーブ１２２を第１の位置と第２の位置との間で及び／又は第２の位置と第１の位置との間で移動させることを可能にする手動機構を備えてもよい。
【００４９】
いくつかの実施態様において、ケーブルスリーブ１２２は、サーバー１００のスレッド１１０に回転的に取り付けられるのではなく、スレッド１１０に並進移動するように取り付けられる。これらの実施態様において、ケーブルスリーブ１２２は、１つ以上の直線方向において第１の位置と第２の位置との間で移動することができる。他のタイプの移動も想定される。
【００５０】
サーバー１００は、全体として任意のタイプの構成を有することができる。例えば、サーバー１００は、１つ、２つ又は任意の数のスレッド１１０を備えることができる。スレッド１１０は、垂直に、水平に、又は垂直及び水平の組合せにして構成することができる。サーバー１００の障害物は、障害物がケーブルチャネル１０８と一直線にされ、したがってケーブルスリーブ１２２がケーブルチャネル１０８に直接進入するのを妨げられる限り、全体として任意の形状を有することもできるし、任意の数の異なる部品から形成することもできる。また、サーバー１００は、ハウジング１０１内の障害物を回避するように複数の位置間で移動するように構成することができる信号ケーブル１１８を伴う複数のケーブルチャネル１０８を有することができる。例えば、いくつかの実施態様において、第１の（下側）スレッド１１０及び第２の（上側）スレッド１１０の両方が、ケーブルスリーブ１２２及び信号ケーブル１１８を有する。第１のスレッド１１０及び第２のスレッド１１０の両方の信号ケーブル１１８及びケーブルスリーブ１２２を、障害物を回避するように第１の位置と第２の位置との間で移動させることができる。
【００５１】
本明細書で使用されている用語は、単に特定の実施形態を記述するためのものであり、本発明を限定することは意図していない。本明細書で使用されている単数形（the singular forms "a," "an," and "the"）は、文脈により明らかに異なることが示されていない限り、複数形も含むことが意図されている。さらに、「含む」（"including," "includes,"）、「有する」（"having," "has,"）、「伴う」（"with,"）という用語又はそれらの変形は、発明を実施するための形態及び／又は特許請求の範囲において使用されている範囲では、「備える」（"comprising."）という用語と同様に包含的であることが意図されている。
【００５２】
別途規定されていない限り、本明細書に使用されている全ての用語（技術用語及び科学用語を含む）は、当業者によって共通に理解されるものと同じ意味を有する。さらに、一般的に使用されている辞書に規定されている用語等の用語は、関連技術分野の文脈における意味と一致する意味を有するものと理解されるべきであり、本明細書に明らかに規定されていない限り、理想化された意味又は過度に形式的な意味で解釈されるものではない。
【００５３】
本発明の種々の実施形態を上述したが、それらの実施形態は、限定ではなく、単に例として提示されたものであることが理解されるべきである。本明細書における開示に従い、本発明の趣旨又は範囲から逸脱することなく、開示された実施形態に対して多くの変更を
加えることができる。したがって、本発明の幅及び範囲は、上述した実施形態のいずれによっても限定されるべきでない。むしろ、本発明の範囲は、添付の特許請求の範囲及びその均等物に従って規定されるべきである。
【００５４】
本発明を１つ以上の実施態様に関して図示及び記載してきたが、本明細書及び添付図面を読み理解すれば、当業者には、等価な代替形態及び変更形態が想起又は知得される。加えて、本発明の特定の特徴が、複数の実施態様のうちのただ１つに関して開示されている場合があるが、そのような特徴は、任意の所与の又は特定の用途に関して望ましく有利であれば、他の実施態様の１つ以上の他の特徴と組み合わせてもよい。
【図１】
2020170494.tif 000003
【図２Ａ】
2020170494.tif 000004
【図２Ｂ】
2020170494.tif 000005
【図３Ａ】
2020170494.tif 000006
【図３Ｂ】
2020170494.tif 000007
【図４Ａ】
2020170494.tif 000008
【図４Ｂ】
2020170494.tif 000009
【図４Ｃ】
2020170494.tif 000010
【図５Ａ】
2020170494.tif 000011
【図５Ｂ】
2020170494.tif 000012
【図５Ｃ】
2020170494.tif 000013
【図６Ａ】
2020170494.tif 000014
【図６Ｂ】
2020170494.tif 000015
【図６Ｃ】
2020170494.tif 000016
【図７Ａ】
2020170494.tif 000017
【図７Ｂ】
2020170494.tif 000018
【図７Ｃ】
2020170494.tif 000019